(57)【要約】【課題】野菜室内の上段容器の摺動が軽く行え、かつ、下段容器内の野菜等の冷却保存が良好に行える冷蔵庫の提供。【解決手段】下段容器５７上面の下段容器レール部６４に上段容器５８下面の上段容器レール部６３を載置して移動自在とした冷蔵庫において、上段容器レール部は直線部６７と前方に突起部６８を設け、下段容器の下段容器レール部は直線部６９と当該直線部後部に下方に傾斜する傾斜部７０を設けて直線部と傾斜部との交点部７１を設けてある。これにより、上段容器レール部の直線部と下段容器レール部の直線部同士が隙間なく接触して下段容器内に冷気が入り込むのを防止し下段容器内の野菜を良好に冷却保存できると同時に、上段容器移動時は突起部及び直線部と傾斜部の交点部との二点での点接触となって軽く摺動させることができる。【選択図】図１９
2015121385.tif 000002
【特許請求の範囲】
【請求項１】
引き出し式の容器付き貯蔵室を備えた冷蔵庫であって、前記貯蔵室は、上段容器と下段容器とを備え、引き出し式の貯蔵室扉を引き出すことによって当該貯蔵室扉とともに前記上段容器と前記下段容器とが一緒に引き出されるとともに、上段容器は貯蔵室内に移動できる構成とし、かつ前記上段容器は下段容器の開口部に設けた下段容器レール部と貯蔵室に設けたガイド部に支持されて移動するものにおいて、前記上段容器はその下部に前記下段容器レール部に支持される上段容器レール部を設け、当該上段容器レール部は直線部で構成してその前方に突起部を設けるとともに、前記上段容器の上段容器レール部を支持する下段容器の下段容器レール部は直線部と下方に傾斜する傾斜部とで構成して前記直線部と傾斜部との交点部をレール部後方位置に設けた冷蔵庫。
【請求項２】
下段容器の下段容器レール部は直線部の前方に上段容器レール部の突起部を収納する凹部を設け、上段容器を下段容器上に固定するときには前記突起部が前記凹部に収納される構成とした請求項１記載の冷蔵庫。
【請求項３】
貯蔵室は野菜を収納する野菜室として、当該野菜室に容器外周に冷気を拡散または及び循環させる野菜室ファンを設けた請求項１または２記載の冷蔵庫。
【発明の詳細な説明】
【技術分野】
【０００１】
本発明は、冷蔵庫の野菜室容器構成に関するものである。
【背景技術】
【０００２】
一般に家庭用冷蔵庫は、扉の引き出しによって開口される野菜室や冷凍室等の貯蔵室が設けてあって、この貯蔵室には扉内面に取り付けた支持部材に支持される容器が設けてある。そして、この容器は、扉の開閉に伴って貯蔵室から出し入れされるようになっており、通常上・下二段の容器で構成されている（例えば、特許文献１参照）。
【０００３】
図２１は特許文献１記載の冷蔵庫を示し、この特許文献１に記載されている容器は冷凍室に設けたもので、貯蔵室１０１には扉１０２の引き出しによって引き出される容器１０３が設けてある。この容器１０３は、扉１０２の支持部材１０４に支持されている下段容器１０５と、その上部開口面に載置されている上段容器１０６とを組み合わせて構成されている。そして、上段容器１０６は下段容器１０５に対し前後に摺動自在なるように載置してあり、下段容器１０５と上段容器１０６との間の接触は、上段容器１０６の前後下面に設けた下向き突起１０７と下段容器１０５の上部開口面との点接触となっている。
【先行技術文献】
【特許文献】
【０００４】
【特許文献１】特開平７−２１８１１５号公報
【発明の概要】
【発明が解決しようとする課題】
【０００５】
上記特許文献１に記載されている容器構成によれば、下段容器１０５に対する上段容器１０６の接触面は下向き突起１０７による点接触であるから、上段容器１０６の摺動抵抗は小さく、上段容器１０６に多くの食材を収納しても軽く前後動させることができる利点がある。
【０００６】
しかしながら、このような構成によると、図２１からも理解できるように、下段容器１０５の上部開口面と上段容器１０６の下面との間に突起１０７による隙間１０９が生じる。そのため、例えば野菜室の容器として使用する場合、野菜室となる貯蔵室１０１を冷却する冷気の一部がこの隙間１０９から下段容器１０５内に入り、下段容器１０５内に収納されている野菜等を乾燥劣化させてしまうという課題が生じる。
【０００７】
このような課題を解決すべく突起１０７を廃止して下段容器１０５の上面開口面に上段容器１０６の底面を直接接触させて隙間１０９を解消することが考えられる。しかしながら、このようにすると、前記下段容器１０５に対する上段容器１０６の接触が線接触となって摺動抵抗が大きくなり、冷蔵庫の大型化に伴って上段容器１０６に収納される食材が多くなりがちな今日にあっては使い勝手が悪いとして敬遠されることになる。
【０００８】
本発明はこのような点に鑑みてなしたもので、上段容器の摺動抵抗を低減しつつ上下収納容器間の隙間発生を解消して、上段容器の摺動が軽く行えると同時に下段容器内の食材の冷却保存も良好に行える冷蔵庫を提供することを目的としたものである。
【課題を解決するための手段】
【０００９】
本発明は、上記従来の課題を解決するために、引き出し式の容器付き貯蔵室を備えた冷蔵庫であって、前記貯蔵室は、上段容器と下段容器とを備え、引き出し式の貯蔵室扉を引
き出すことによって当該貯蔵室扉とともに前記上段容器と前記下段容器とが一緒に引き出されるとともに、上段容器は貯蔵室内に移動できる構成とし、かつ前記上段容器は下段容器の開口部に設けた下段容器レール部と貯蔵室に設けたガイド部に支持されて移動するものにおいて、前記上段容器はその下部に前記下段容器レール部に支持される上段容器レール部を設け、当該上段容器レール部は直線部で構成してその前方に突起部を設けるとともに、前記上段容器の上段容器レール部を支持する下段容器の下段容器レール部は直線部と下方に傾斜する傾斜部とで構成して前記直線部と傾斜部との交点部をレール部後方位置に設けた構成としてある。
【００１０】
これにより、上段容器を下段容器に対して摺動させる際には当該上段容器は上段容器レール部の突起部と下段容器レール部の交点部との二点での点接触となってその摺動抵抗は非常に小さなものとすることができ、上段容器を軽く摺動させることができると同時に、上段容器と下段容器が貯蔵室に収納されているときには上段容器レール部の直線部と下段容器レール部の直線部同士が接触してこれら両容器間に隙間が生じることがなく、下段容器内に貯蔵室内を循環する冷気が入り込むのを防止できて下段容器内に収納している野菜等を乾燥させることなく良好に冷却保存することができる。
【発明の効果】
【００１１】
本発明の冷蔵庫は、上記構成により、上段容器の摺動抵抗を低減しつつ上段・下段容器間の隙間発生を解消することができるので、上段容器の摺動が軽く行えると同時に下段容器内の野菜等の冷却保存も良好に行える冷蔵庫を提供することができる。
【図面の簡単な説明】
【００１２】
【図１】本発明の実施の形態１における冷蔵庫の正面図
【図２】同実施の形態１における冷蔵庫の扉を開いた時の正面図
【図３】同実施の形態１における冷蔵庫を示す図２のＡ−Ａ断面図
【図４】同実施の形態１における冷蔵庫を示す図２のＢ−Ｂ断面図
【図５】同実施の形態１における冷蔵庫の冷気流れを説明するための概略断面図
【図６】同実施の形態１における冷蔵庫の冷気流れを説明する概略正面図
【図７】同実施の形態１における冷蔵庫の冷却室背面部分の冷気流れを説明する斜視図
【図８】同実施の形態１における冷蔵庫を示す図３の要部拡大断面図
【図９】同図８における冷気流れを説明するための概略断面図
【図１０】同実施の形態１における冷蔵庫を示す図４の要部拡大断面図
【図１１】同図１０における冷気流れを説明するための概略断面図
【図１２】同実施の形態１における冷蔵庫の野菜室と冷凍室を示す拡大正面図
【図１３】同図１２に示す冷蔵庫の野菜室の背面壁部分を構成する奥面仕切壁ブロックの斜視図
【図１４】同実施の形態１における冷蔵庫の野菜室と野菜室容器を示す分解斜視図
【図１５】同実施の形態１における冷蔵庫の野菜室に設けた野菜室容器の斜視図
【図１６】同図１５に示す野菜室容器の分解斜視図
【図１７】同実施の形態１における冷蔵庫の野菜室に設けた野菜室容器の正面断面図
【図１８】同実施の形態１における冷蔵庫の野菜室における上段容器の支持構成を示す正面断面図
【図１９】同実施の形態１における冷蔵庫の野菜室に設けた野菜室容器の下段容器への上段容器の載置構成を示す拡大側断面図
【図２０】同実施の形態１における冷蔵庫の制御ブロック図
【図２１】従来の冷蔵庫の概略断面図
【発明を実施するための形態】
【００１３】
第１の発明は、引き出し式の容器き貯蔵室を備えた冷蔵庫であって、前記貯蔵室は、上段容器と下段容器とを備え、引き出し式の貯蔵室扉を引き出すことによって当該貯蔵室扉とともに前記上段容器と前記下段容器とが一緒に引き出されるとともに、上段容器は貯蔵室内に移動できる構成とし、かつ前記上段容器は下段容器の開口部に設けた下段容器レール部と貯蔵室に設けたガイド部に支持されて移動するものにおいて、前記上段容器はその下部に前記下段容器レール部に支持される上段容器レール部を設け、当該上段容器レール部は直線部で構成してその前方に突起部を設けるとともに、前記上段容器の上段容器レール部を支持する下段容器の下段容器レール部は直線部と下方に傾斜する傾斜部とで構成して前記直線部と傾斜部との交点部をレール部後方位置に設けた構成としてある。
【００１４】
これにより、上段容器を下段容器に対して摺動させる際には当該上段容器は上段容器レール部の突起部と下段容器レール部の交点部との二点での点接触となってその摺動抵抗は非常に小さなものとすることができ、上段容器を軽く摺動させることができると同時に、上段容器と下段容器が貯蔵室に収納されているときには上段容器レール部の直線部と下段容器レール部の直線部同士が接触してこれら両容器間に隙間が生じることがなく、下段容器内に貯蔵室内を循環する冷気が入り込むのを防止できて下段容器内に収納している野菜等を乾燥させることなく良好に冷却保存することができる。
【００１５】
第２の発明は、第１の発明において、下段容器の下段容器レール部は直線部の前方に上段容器レール部の突起部を収納する凹部を設け、上段容器を下段容器上に固定するときには前記突起部が前記凹部に収納される構成としてある。
【００１６】
これにより、突起部の凹部への収納によって下段容器に上段容器を一体化でき、扉の開閉によって上段容器を下段容器とともに確実に出し入れすることができ、使い勝手が向上する。
【００１７】
第３の発明は、第１または第２の発明において、貯蔵室は野菜を収納する野菜室として、当該野菜室に容器外周に冷気を拡散または及び循環させる野菜室ファンを設けた構成としてある。
【００１８】
これにより、容器内への冷気侵入を防止して野菜等の乾燥劣化を防止しつつ野菜室内を効率よく冷却することができ、容器の出し入れが軽く行えると同時に、野菜の冷却保存も効果的に行うことができる冷蔵庫の提供が可能となる。
【００１９】
以下、本発明の実施の形態について、図面を参照しながら説明する。尚、この実施の形態によって本発明が限定されるものではない。
【００２０】
（実施の形態１）
図１は本発明の実施の形態１における冷蔵庫の正面図、図２は同実施の形態１における冷蔵庫の扉を開いた時の正面図、図３は同実施の形態１における冷蔵庫を示す図２のＡ−Ａ断面図、図４は同実施の形態１における冷蔵庫を示す図２のＢ−Ｂ断面図、図５は同実施の形態１における冷蔵庫の冷気流れを説明するための概略断面図、図６は同実施の形態１における冷蔵庫の冷気流れを説明する概略正面図、図７は同実施の形態１における冷蔵庫の冷却室背面部分の冷気流れを説明する斜視図、図８は同実施の形態１における冷蔵庫を示す図３の要部拡大断面図、図９は同図８における冷気流れを説明するための概略断面図、図１０は同実施の形態１における冷蔵庫を示す図４の要部拡大断面図、図１１は同図１０における冷気流れを説明するための概略断面図、図１２は同実施の形態１における冷蔵庫の野菜室と冷凍室を示す拡大正面図、図１３は同図１２に示す冷蔵庫の野菜室の背面壁部分を構成する奥面仕切壁ブロックの斜視図、図１４は同実施の形態１における冷蔵庫の野菜室と野菜室容器を示す分解斜視図、図１５は同実施の形態１における冷蔵庫の野菜
室に設けた野菜室容器の斜視図、図１６は同図１５に示す野菜室容器の分解斜視図、図１７は同実施の形態１における冷蔵庫の野菜室に設けた野菜室容器の正面断面図、図１８は同実施の形態１における冷蔵庫の野菜室における上段容器の支持構成を示す正面断面図、図１９は同実施の形態１における冷蔵庫の野菜室に設けた野菜室容器の下段容器への上段容器の載置構成を示す拡大側断面図、図２０は同実施の形態１における冷蔵庫の制御ブロック図である。
【００２１】
まず、冷蔵庫の全体構成について説明する。
【００２２】
＜冷蔵庫本体構成＞
図１〜図６において、本実施の形態に係る冷蔵庫は、前方を開口した冷蔵庫本体１を備え、この冷蔵庫本体１は、図３等に示すように主に鋼板を用いた外箱２と、ＡＢＳなどの硬質樹脂で成型された内箱３と、前記外箱２と内箱３との間に充填された硬質発泡ウレタン等の発泡断熱材４とから構成されている。冷蔵庫本体１は、仕切板５．６によって複数の貯蔵室に区分されており、冷蔵庫本体１の最上部には冷蔵室７、その冷蔵室７の下部に野菜室８、そして最下部に冷凍室９が配置されていて、真ん中野菜室タイプの冷蔵庫となっている。前記各貯蔵室の前面開口部は、扉１０、扉１１、扉１２によって開閉可能に閉塞されている。
【００２３】
冷蔵庫本体１の上部後方領域には機械室１４が設けられており、圧縮機１５、水分除去を行うドライヤ（図示せず）等の冷凍サイクルの高圧側構成部品が収容されている。
【００２４】
また、冷蔵庫本体１の背面には冷気を生成する冷却室１６が設けられている。この冷却室１６は冷凍室９の背面から野菜室８の下部背面に渡って形成されており、野菜室８との間は発泡スチロール等によって断熱性を持たせた奥面仕切壁体１７を設けて断熱仕切りされている。
【００２５】
冷却室１６内には冷却器１８が配設されており、冷却器１８の上部には冷却ファン１９が配置されている。前記冷却ファン１９は、冷却器１８により冷却された冷気を冷蔵室７、野菜室８、冷凍室９に強制循環させて各室を冷却するものである。
【００２６】
また、前記冷却器１８の下部空間には、図５、図８等に示すように冷却器１８やその周辺に付着する霜や氷を除霜する除霜ヒータ２８が配置されている。除霜ヒータ２８の下部には除霜時に生じる除霜水を受けるためのドレンパン２９が配置され、除霜水はドレンパン２９の最深部から図示しないドレンチューブを介して庫外の蒸発皿に排出するようになっている。
【００２７】
次に冷気循環構成について説明する。
【００２８】
＜冷気循環通路構成＞
冷気を生成する冷却室１６は、図８、図９等に示すように前記した奥面仕切壁体１７と冷蔵庫本体１との間に形成されている冷却室冷気搬送路３０に冷却ファン１９の下流が開口しており、この冷却室冷気搬送路３０を介して各室に冷気を送風する。
【００２９】
冷却室冷気搬送路３０の上部は図５、図６、図７、特に図７に示すように冷蔵室ダンパ３１を介して冷蔵室７の背面略中央部に形成されている冷蔵冷気往き通路３２と連通している。冷蔵冷気往き通路３２の側方には図６、図７に示すように冷蔵室７からの冷蔵冷気戻り通路３３が隣接設置されていて、その下部は野菜室８、冷却室１６に連通している。
【００３０】
冷蔵室７には図６に示すようにその奥壁上部適所に冷蔵冷気往き通路３２の冷蔵冷気入
口３５が設けてあり、同奥壁下部適所には前記冷蔵冷気戻り通路３３へ開口する冷蔵冷気戻り口３６が設けられていて、冷却室１６からの冷気は冷蔵室ダンパ３１を介して冷蔵冷気往き通路３２に供給され、その冷蔵冷気入口３５から冷蔵室７に供給される。一方、冷蔵室冷却後の冷気は冷蔵冷気戻り口３６から冷蔵冷気戻り通路３３を介して野菜室８に供給され、かつ冷却室１６へと循環する。また、この冷蔵室７には後述するようにその下部にパーシャル室が設けられていて、当該パーシャル室には図７に示すようにパーシャル室ダンパ３１ａ、パーシャル室冷気往き通路３２ａ、パーシャル室冷気入口３６ａを介して供給されるようになっている。
【００３１】
この実施の形態では、同図７から明らかなように、前記奥面仕切壁体１７と仕切板６の背面に、前記冷却室冷気搬送路３０と冷蔵冷気往き通路３２及びパーシャル室冷気往き通路３２ａとを連絡する往き通路３７と、冷蔵冷気戻り通路３３と野菜室８、冷却室１６とを連絡する戻り通路３８が形成されていて、前記冷蔵室ダンパ３１はこの往き通路３７に設けられている。
【００３２】
そして、前記冷蔵冷気往き通路３２と冷蔵冷気戻り通路３３との間に連通路３９が形成されていて、冷蔵冷気往き通路３２を流れる低温冷気の一部が冷蔵冷気戻り通路３３に混入するように構成されている。
【００３３】
また、冷凍室９の背面には図７に示すように前記冷却室１６の冷却器１８の側方を下向きに延びる冷気戻りダクト４０が設けられており、この冷気戻りダクト４０の上部が上記戻り通路３８を介して野菜室８に連通するとともにその下部が冷却室１６の下部近傍に開口していて、前記野菜室８冷却後の冷気が冷気戻りダクト４０を介してその下部開口から冷却室１６へと循環するように構成されている。
【００３４】
一方、冷凍室９は図９に示すようにその背面壁体４１の上部に前記奥面仕切壁体１７背面の冷却室冷気搬送路３０下部に連通する冷凍冷気入口４２が、下部に前記冷却室１６の下部に開口する冷凍冷気戻り口４３が形成されていて、冷却室１６からの冷気が冷却室冷気搬送路３０下部から冷凍冷気入口４２を介して供給され、冷凍室冷却後の冷気が冷凍冷気戻り口４３を介して冷却室１６へと循環するようになっている。
【００３５】
＜野菜室構成＞
野菜室８は図６、図１１に示すように奥壁左右いずれか一方寄り部分、この実施の形態では正面から見て右側部分の下部であって前記冷蔵冷気戻り通路３３からの戻り通路３８部分に開口した野菜冷気入口４４が設けられ、この野菜冷気入口４４の略上方位置部分に前記戻り通路３８に開口して冷却室１６へとつながる野菜冷気戻り口４６が設けられている。
【００３６】
さらにこの野菜室８には、特に図１１に示すように当該野菜室８背面の奥面仕切壁体１７を利用して前記冷気の戻り通路３８の前面位置に上下方向に野菜室通路部５０が縦設形成されている。この野菜室通路部５０はその上部が前記野菜冷気戻り口４６近傍に位置し、下部は野菜冷気入口４４と連通していて、この野菜冷気入口４４と連通する部分にプロペラファン等からなる野菜室ファン５３が配置してある。
【００３７】
さらにまた、この野菜室８には上記野菜室通路部５０と野菜冷気戻り口４６とにつながるよう野菜室上面に前方に向かって第一の通路４７ａが形成されていて、その前方部分には第一の野菜冷気吸込み口４７が設けられている。
【００３８】
加えてこの実施の形態の野菜室８には、図１２、図１３等に示すようにその奥の面となる奥面仕切壁体１７の上部であって前記野菜冷気入口４４の対角位置となる部分、この実
施の形態では左奥側上部に、第二の野菜冷気吸込み口５１が設けられており、この第二の野菜冷気吸込み口５１を備えた第二の通路５１ａも図１１に示すように前記野菜室通路部５０の上部と野菜冷気戻り口４６に連通している。
【００３９】
＜野菜室容器構成＞
上記野菜室８には、図１０、図１４等に示すように野菜室容器５５が配置されており、この野菜室容器５５は扉１１の内面に取り付けたレール状の支持部材５６（図１４参照）に嵌め込んで扉１１の開閉に伴い野菜室８から出し入れされるようになっている。
【００４０】
野菜室容器５５は図１５に示すように下段容器５７と下段容器５７の上面開口に載置した上段容器５８とからなる。
【００４１】
下段容器５７はその内部を左右に分割する仕切板５９を備え、前記仕切板５９で仕切った一方側、この例では野菜室ファン５３が設置してある正面から見て右側部分をペットボトルやパック等を収納する非野菜収納部６０としてあり、他方の野菜収納部６１より深く形成してある。そして、前記仕切板５９には透湿膜ユニット６２が着脱自在に装着してある。
【００４２】
また、上段容器５８は仕切板５９で仕切られた野菜収納部６１の上面開口部分に載置してあり、図１６、図１７に示すようにその底面に形成されている上段容器レール部６３を前記下段容器５７の上面開口左側及び仕切板５９上端部に形成してある下段容器レール部６４に載置するとともに、上段容器上部開口に設けたフランジ６５を図１４と図１８に示す野菜室８の上部側壁及び天井面部分に設けたガイド部６６ａ、６６ｂに沿って前後に摺動自在としてある。６１ａは下段容器５７内の底部に配置する置き皿である。
【００４３】
ここで、前記上段容器５８の上段容器レール部６３は図１９に示すように直線部６７からなっていてその前方に突起部６８を備え、かつ、下段容器５７の下段容器レール部６４は直線部６９とそれにつながる下向き傾斜の傾斜部７０とからなっていて当該直線部６９と傾斜部７０とがつながる交点部７１を後方部に有するとともに前方部分には前記突起部６８を収納する凹部７２を設けた構成としてある。
【００４４】
これによって、野菜室容器５５は、前記扉１１を引き出すことによって当該扉１１とともに前記上段容器５８と前記下段容器５７とが一緒に引き出され、かつ、引き出した状態から上段容器５８は単独で野菜室８内に押し込み移動できる構成となる。
【００４５】
なお、上記野菜室８は上記野菜室容器５５とその下の仕切板６及び野菜室８の内周壁面との間に空間が設けられ、当該空間は前記野菜冷気入口４４からの冷気が流れる風路を構成している。
【００４６】
また、上記野菜室容器５５の上段容器５８の上部開口縁は野菜室８上部の仕切板６と近接した部分に位置するとともに前記した野菜冷気入口４４より上方部分に位置していて、野菜冷気入口４４からの冷気が野菜室容器５５の上段容器５８及び下段容器５７内に直接入り込むことがないように構成されている。なお、上段容器５８の上部開口にこれを閉塞する蓋を設けて冷気の野菜室容器５５内への侵入をより確実に防止するようにしてもよい。
【００４７】
＜冷蔵室構成＞
冷蔵室７は図３等に示すように内部に複数の収納棚７３を有するとともに、準冷凍温度帯に冷却できるパーシャル室７４を備え、それぞれの適所に既に述べた冷蔵冷気入口３５及び冷蔵冷気戻り口３６（いずれも図６参照）が設けられている。そして、冷蔵室７の側
壁適所には各室の庫内温度設定や製氷および急速冷却などの設定を行う操作部７５が配置されている。
【００４８】
＜冷凍室構成＞
また。冷凍室９は既に図９を用いて述べたようにその奥壁上部に前記奥面仕切壁体１７背面の冷却室冷気搬送路３０下部と連通する冷凍冷気入口４２が形成され、さらに奥壁下部に前記冷凍室９に連通する冷凍冷気戻り口４３が形成されている。そして構造図には図示していないが、冷却室１６から冷凍室９への通路の適所にも冷凍室ダンパが組み込まれている。なお、この冷凍室９にも、図４等に示すようにその扉１２のフレームに載置された冷凍室容器７６が設けられており、更にその冷凍室容器７６の上部には製氷装置７７が組み込まれている。
【００４９】
次にこの冷蔵庫の制御構成について説明する。
【００５０】
＜制御構成＞
図２０は本実施の形態の冷蔵庫における制御ブロック図を示し、７８は冷蔵室温度検知手段、７９は野菜室温度検知手段、８０は冷凍室温度検知手段で、いずれもサーミスタで形成してあり、それぞれ冷蔵室７、野菜室８、冷凍室９の適所に設置されている。８１は冷蔵庫全体を統括制御する制御部で、マイクロコンピュータ等によって構成してあり、前記冷蔵室温度検知手段７８、冷凍室温度検知手段８０からの出力に基づきあらかじめ組み込まれた制御ソフトにしたがって冷蔵室ダンパ３１、冷凍室ダンパ３４を開閉制御するとともに、圧縮機１５、冷却ファン１９を駆動して各室を設定温度に制御する。さらにこの制御部８１は冷蔵室温度検知手段７８及び野菜室温度検知手段７９からの出力に基づき野菜室８の野菜室通路部５０に組み込んだ野菜室ファン５３の運転を制御するようになっている。具体的には冷蔵室温度検知手段７８及び野菜室温度検知手段７９が検出する温度がそれぞれの設定温度よりも高い温度をいずれか一方が検知すると野菜室ファン５３を駆動するようになっている。
【００５１】
以上のように構成された冷蔵庫について、以下その動作、作用を説明する。
【００５２】
まず、冷凍サイクルの動作について説明する。
【００５３】
庫内の設定された温度に応じて制御部８１からの信号により冷凍サイクルが動作し冷却運転が行われる。圧縮機１５の動作により吐出された高温高圧の冷媒は、凝縮器（図示せず）である程度凝縮液化し、さらに冷蔵庫の側面や背面、また冷蔵庫の前面間口に配設された冷媒配管（図示せず）などを経由し冷蔵庫の結露を防止しながら凝縮液化し、キャピラリーチューブ（図示せず）に至る。その後、キャピラリーチューブでは圧縮機１５への吸入管（図示せず）と熱交換しながら減圧されて低温低圧の液冷媒となり冷却室の冷却器１８に至る。ここで、前記冷却器１８内の冷媒は蒸発気化し、当該冷却器１８を有する冷却室１６で各貯蔵室を冷却するための冷気が生成される。
【００５４】
次に冷気循環による冷却動作について説明する。
【００５５】
冷却室１６内で生成された低温の冷気は、冷却ファン１９によって、冷却室冷気搬送路３０から冷蔵室７と冷凍室９に送られ、冷蔵室７に供給された冷気は冷蔵室７を冷却した後、野菜室８に供給され、それぞれの室が設定温度に冷却される。そして、各室を冷却したのちの冷気は、再び冷却室１６に戻って冷却器１８により冷却され、冷却ファン１９で各室に循環していく。また、上記各室への冷気供給は、制御部８１が冷蔵室温度検知手段７８及び冷凍室温度検知手段８０の検出温度に基づき圧縮機１５と冷却ファン１９を運転／停止、及び冷蔵室ダンパ３１、冷凍室ダンパ３４を開・閉制御し、それぞれの室が設定
温度帯に維持されるようになっている。
【００５６】
次に、野菜室８の冷却動作について説明する。
【００５７】
野菜室８は冷蔵冷気戻り通路３３からの冷蔵室冷却後の冷気が図１１に示すように冷気の戻り通路３８に設けられている野菜冷気入口４４から供給されて冷却される。この冷気は冷却ファン１９の送風圧によって野菜冷気入口４４から野菜室通路部５０を介して緩やかに野菜室８に流れ込み、野菜室容器５５の下段容器５７及び上段容器５８と野菜室８の内周壁との間の空間を流れ、この野菜室容器５５内に収納されている野菜やペットボトル等を容器外周から間接的に冷却し、野菜冷気戻り口４６から冷蔵冷気戻り通路３３を経由して冷気戻りダクト４０から冷却室１６へと循環する。
【００５８】
ここで、この実施の形態で示す冷蔵庫では図１１で示したように野菜室８の野菜室通路部５０に野菜室ファン５３が設けられており、野菜室ファン５３が回転すると、戻り通路３８を流れる戻り冷気の多くが前記野菜冷気入口４４から野菜室通路部５０内へと吸引され、野菜室ファン５３の吹出口５４より野菜室８内の下段容器５７後面に向かって供給されることになる。
【００５９】
野菜室８の下段容器５７に向かって供給された冷気は、下段容器５７及び上段容器５８と野菜室８の底面及び内周壁との間の空間を前記冷却ファン１９の送風圧によって循環する際の流れよりも早く流れ、野菜冷気戻り口４６から戻り通路３８を介して冷却室１６へと戻り循環する。その際、冷却室１６へと戻り循環する冷気以外の冷気は野菜室８の上部に設けた第一の野菜冷気吸込み口４７及び第二の野菜冷気吸込み口５１より第一の通路４７ａ及び第二の通路５１ａに吸引され、これらの通路と連通している野菜室通路部５０の上部開口から野菜室ファン５３に吸引されて当該野菜室ファン５３の吹出口５４から再び野菜室８内の下段容器５７に向けて供給され、野菜室８内を拡散または及び循環して野菜室８内を冷却する。
【００６０】
次に本発明の特徴である野菜室容器の効用について説明する。
【００６１】
まずこの冷蔵庫の野菜室容器５５は下段容器５７を仕切板５９によって野菜収納部６１と非野菜収納部６０とに区分けし、更に前記野菜収納部６１の上面開口部に上段容器５８を載置して、三つの収納部を構成しているから、それぞれの収納部に食材を区分けして収納、例えば上段容器５８には果物、野菜収納部６１には野菜、非野菜収納部６０にはペットボトルやパック等の飲み物を効率よく収納することができる。
【００６２】
ここで、上記野菜室容器５５は扉１１を閉じて野菜室８内に収納されている状態では上段容器５８の上段容器レール部６３に設けた突起部６８が下段容器５７の下段容器レール部６４に設けた凹部７２に収納されている。したがって、野菜室容器５５は、前記扉１１を引き出すことによって当該扉１１とともに前記上段容器５８と前記下段容器５７とが一緒に引き出される。
【００６３】
この状態で、使用者が下段容器５７内の野菜収納部６１に収納した野菜を取り出す、あるいは当該野菜収納部６１に野菜を収納するときには、前記下段容器５７に載置している上段容器５８を後方へと押し込むと上段容器５８は下段容器５７の上面開口の下段容器レール部６４を摺動して野菜室８内へと移動する。
【００６４】
この時、上段容器５８は図１９に示すようにその上段容器レール部６３に設けた突起部６８が下段容器レール部６４の凹部７２を乗り越えてその直線部６９に接するとともに上段容器レール部６３の直線部６７が下段容器５７の交点部７１に接し、この二点で点接触
支持されて下段容器５７の下段容器レール部６４上を摺動する。したがって、上段容器５８は果物を多く収納するなどしていて重くなっていても軽く摺動させることができる。
【００６５】
また、この野菜室容器５５は扉１１を閉じて野菜室８内に収納した状態では、前記上段容器レール部６３の突起部６８が下段容器レール部６４の凹部７２に入り込んで上段容器レール部６３の直線部６７と下段容器レール部６４の直線部６９が接触状態となり、これら両者の接触部分は隙間なく密接するようになる。したがって、野菜室容器５５の周囲を流れている冷気が下段容器５７と上段容器５８との間から下段容器５７の野菜収納部６１内に入り込むことを防止でき、野菜収納部６１に収納している野菜を乾燥劣化させることなく良好な状態で冷却保存することができる。
【００６６】
さらに、この実施の形態では上記下段容器５７内を野菜収納部６１と非野菜収納部６０とに仕切っている仕切板５９に透湿膜ユニット６２を装着してあるから、下段容器５７と上段容器５８との間を隙間なく密接させて略密閉状態としていても、野菜収納部６１の湿度が所定値よりも高くなると、図１７の点線矢印で示すようにその湿気が透湿膜ユニット６２を透過して非野菜収納部６０へと透過し、野菜収納部６１内の湿度はほぼ所定値に維持される。したがって、上記野菜収納部６１内に収納した野菜は下段容器５７と上段容器５８との間を隙間なく密接させて略密閉状態としていても良好な状態で冷却保存することができる。
【００６７】
以上のようにこの冷蔵庫は野菜室容器５５を構成する上段容器５８の摺動を軽くすると同時に下段容器５７と上段容器５８との間を隙間なく密接させて下段容器内への冷気の侵入を防止することができるものであるが、更にこの冷蔵庫は野菜室冷却に関しても種々の効果を有するので、以下これを説明しておく。
【００６８】
まずこの実施の形態では、上記野菜室８内に野菜室ファン５３が設けてあり、この野菜室ファン５３は野菜室容器５５の非野菜収納部６０側の野菜室背面部分に設けて、当該非野菜収納部６０に向けて野菜室内の冷気を拡散または及び循環させるように構成してある。したがって、野菜室ファン５３からの冷気は非野菜収納部６０の周りを集中的に循環するようになり、非野菜収納部６０に収納されているペットボトルやパック等を効率よく冷却することができる。特に非野菜収納部６０に収納されているペットボトルやパック等の飲料水等は野菜よりも熱容量が大きくて冷えにくいことから効果的であり、これによってペットボトル等の収納による野菜室温度の上昇を効率よく抑制することができる。
【００６９】
また、上記野菜室ファン５３とともに野菜室８に設けた第一の野菜冷気吸込み口４７を野菜室容器５５の非野菜収納部６０側の前方部分に設けた構成としてあるから、野菜室ファン５３から野菜冷気戻り口４６への冷気を非野菜収納部分にさらに効率よく集中的に循環させることができ、効果的である。
【００７０】
さらに、野菜室８内の冷気を循環させるためのもう一つの吸込み口ともなる第二の野菜冷気吸込み口５１を野菜室ファン５３と略対角位置の野菜室上部に設けた構成としてある。そのため、野菜室ファン５３からの冷気は野菜室容器５５の非野菜収納部６０の底面部分を通って前方へと野菜室８内を斜めに縦断しながら拡散または及び循環して野菜室上部の第二の野菜冷気吸込み口５１へと流れる様になるので、下段容器５７及び上段容器５８からなる野菜室容器内への冷気の入り込みを防止しつつ野菜室容器５５の外周に広範囲に冷気を拡散または及び循環させることができ、野菜及びペットボトル等を効果的に冷却することができる。
【００７１】
また、この冷蔵庫は、冷蔵冷気往き通路３２と冷蔵冷気戻り通路３３との間に連通路３９が形成してあり、野菜室ファン５３が回転するとその吸引力によって冷蔵冷気往き通路
３２内の低温な新鮮冷気が冷蔵冷気戻り通路３３内に混入して戻り通路３８を介し野菜冷気入口４４から野菜室８内に供給される。したがって、この冷蔵庫では野菜室ファン５３の回転により前記冷蔵室冷却後の冷気に低温の新鮮冷気が混入して低温化された冷気で野菜室８を冷却することになる。よって野菜室８を効果的に冷却することができ、例えば、野菜やペットボトル等が一時的に多く収納された時などのように冷却負荷条件が悪いときでも、野菜室８を確実に冷却することができる。また、上記連通路３９を介して取り込む低温の新鮮冷気の量は野菜室ファン５３の回転数を上げることによって増加させることができ、夏場で熱容量の大きい常温のペットボトル等が大量に収納された時でも、これを確実に冷却することができる。しかも野菜室８を確実に冷却できるので、冷却室１６からの冷輻射による結露発生も効率よく抑制でき、野菜を良好な状態で冷却保存することができる。
【００７２】
上記野菜室ファン５３は、冷蔵室温度検知手段７８からの出力によって冷蔵室ダンパ３１を開いて冷蔵室７及び野菜室８を冷却しているときに作動し野菜室８内の冷気を拡散または及び循環させるが、この実施の形態では野菜室８に設けた野菜室温度検知手段７９の検出温度に基づいても制御するようにしてあるから、冷蔵室７の温度が高くて冷却動作を行なっていないときでも野菜室８の温度が設定温度以上になると回転し始め、野菜室８内に冷気を拡散または及び循環させるようになる。したがって、野菜室温度が高くなって冷却室１６からの冷輻射により大きな温度差が生じ結露が発生しやすい条件になると、野菜室ファン５３が回転してこれを解消し、効果的に結露発生を防止することができる。
【００７３】
また、上記野菜室８の温度が、野菜室ファン５３の回転にもかかわらず前記設定温度よりも若干高い温度に設定している第二設定温度より高くなるようなことがあれば、野菜室ファン５３の回転数を上げて冷気の拡散または及び循環量を増強し、更には低温の新鮮冷気の取り込み混入量を増加させることができ、野菜室８を確実に冷却することができる。よって、夏場における冷却不足を解消し野菜等の良好な冷却保存を確実に実現して冷蔵庫の信頼性を高めることができる。
【００７４】
以上、本発明の実施の形態を説明してきたが、上記実施の形態で説明した構成は本発明を実施する一例として示したものであり、本発明の目的を達成する範囲で種々変更可能なことは言うまでもない。
【００７５】
例えば、この実施の形態では野菜室容器５５の下段容器５７内を左右に仕切って左右いずれか一方側に非野菜収納部６０を設けることを例示したが、これは前後方向に仕切って下段容器５７の前方部分に非野菜収納部６０を設けてもよいものである。
【産業上の利用可能性】
【００７６】
本発明にかかる冷蔵庫は、上段容器の摺動抵抗を低減しつつ上段・下段容器間の隙間発生を解消することができるので、上段容器の摺動が軽く行えると同時に下段容器内の食材の冷却保存も良好に行え、家庭用はもちろん業務用冷蔵庫にも幅広く適用することができる。
【符号の説明】
【００７７】
１  冷蔵庫本体
５，６  仕切板
７  冷蔵室
８  野菜室
９  冷凍室
１０，１１，１２  扉
１４  機械室
１５  圧縮機
１６  冷却室
１７  奥面仕切壁体
１８  冷却器
１９  冷却ファン
３０  冷却室冷気搬送路
３１  冷蔵室ダンパ
３２  冷蔵冷気往き通路
３３  冷蔵冷気戻り通路
３４  冷凍室ダンパ
３５  冷蔵冷気入口
３６  冷蔵冷気戻り口
３７  往き通路
３８  戻り通路
３９  連通路
４０  冷気戻りダクト
４１  背面壁体
４２  冷凍冷気入口
４３  冷凍冷気戻り口
４４  野菜冷気入口
４６  野菜冷気戻り口
４７  第一の野菜冷気吸込み口
４７ａ  第一の通路
５０  野菜室通路部
５１  第二の野菜冷気吸込み口
５１ａ  第二の通路
５２  第二の冷気循環路
５３  野菜室ファン
５４  吹出口
５５  野菜室容器（容器）
５６  支持部材
５７  下段容器
５８  上段容器
５９  仕切板
６０  非野菜収納部
６１  野菜収納部
６２  透湿膜ユニット
６３  上段容器レール部
６４  下段容器レール部
６５  フランジ
６６ａ、６６ｂ  ガイド部
６７  上段容器の直線部
６８  突起部
６９  下段容器の直線部
７０  傾斜部
７１  交点部
７２  凹部
７３  収納棚
７４  パーシャル室
７５  操作部
７６  冷凍室容器
７７  製氷装置
７８  冷蔵室温度検知手段
７９  野菜室温度検知手段
８０  冷凍室温度検知手段
８１  制御部
【図１】
2015121385.tif 000003
【図２】
2015121385.tif 000004
【図３】
2015121385.tif 000005
【図４】
2015121385.tif 000006
【図５】
2015121385.tif 000007
【図６】
2015121385.tif 000008
【図７】
2015121385.tif 000009
【図８】
2015121385.tif 000010
【図９】
2015121385.tif 000011
【図１０】
2015121385.tif 000012
【図１１】
2015121385.tif 000013
【図１２】
2015121385.tif 000014
【図１３】
2015121385.tif 000015
【図１４】
2015121385.tif 000016
【図１５】
2015121385.tif 000017
【図１６】
2015121385.tif 000018
【図１７】
2015121385.tif 000019
【図１８】
2015121385.tif 000020
【図１９】
2015121385.tif 000021
【図２０】
2015121385.tif 000022
【図２１】
2015121385.tif 000023